(57)【要約】      （修正有）【課題】携帯型装置の厚みを薄くするスライド機構を提供する。【解決手段】カバーに固設される第１プレート１０と、一端が該第１プレート１０に枢設されると共に、他端に棒状突起を有する固定部が設けられる第１枢設部材２０と、一端が該第１枢設部材２０における固定部に枢設されると共に、該一端に固定部における棒状突起を収容するための弧状溝が形成される第２枢設部材３０と、摺動可能に第１プレート１０に設置されると共に、前記本体に固設され、且つ第２枢設部材３０の他端に枢設される第２プレート４０と、第１枢設部材２０と第２枢設部材３０との間における、固定部の外周に環装され、一端が第１枢設部材２０における固定部に着設されると共に、他端が第２枢設部材３０に着設される、渦巻状を呈する弾性部材とを備える。【選択図】図３
0003161375.tif 000002
【実用新案登録請求の範囲】
【請求項１】
携帯型装置におけるカバーと本体との間に設置される携帯型装置用スライド機構であって、
前記カバーに固設される第１プレート１０と、
一端が前記第１プレート１０に枢設されると共に、他端に棒状突起２２を有する固定部２１が設けられる第１枢設部材２０と、
一端が前記第１枢設部材２０における固定部２１に枢設されると共に、該一端に固定部２１における棒状突起２２を収容するための弧状溝が形成される第２枢設部材３０と、
摺動可能に前記第１プレート１０に設置されると共に、前記本体に固設され、且つ前記第２枢設部材３０の他端に枢設される第２プレート４０と、
前記第１枢設部材２０と第２枢設部材３０との間における、固定部２１の外周に環装され、一端が第１枢設部材２０における固定部２１に着設されると共に、他端が第２枢設部材３０に着設される、渦巻状を呈する弾性部材５０とを備えることを特徴とする携帯型装置用スライド機構。
【請求項２】
前記第１プレート１０の両側に夫々レール１１が設けられると共に、前記第２プレート４０の両側に夫々レール１１と対応するスライド溝４２が設けられることを特徴とする請求項１に記載の携帯型装置用スライド機構。
【請求項３】
前記固定部２１は、その厚みが前記弾性部材５０の厚みと略同等である、円盤状を呈するものであることを特徴とする請求項１に記載の携帯型装置用スライド機構。
【請求項４】
前記固定部２１に係合溝２１４が形成されると共に、該係合溝２１４に前記弾性部材５０の一端が固定されることを特徴とする請求項１又は請求項３に記載の携帯型装置用スライド機構。
【考案の詳細な説明】
【技術分野】
【０００１】
本考案は携帯型装置用スライド機構に関し、特にカバーと本体との間に設置することにより、本体に対してカバーを摺動させるスライド機構に関するものである。
【背景技術】
【０００２】
カバーと本体を有する携帯型電子機器（例えば、携帯電話やデジタルカメラ等）に用いられるカバーの開閉方式にはいくつかの種類がある。その中には、上部に表示器が設けられたカバーと、上部が該カバーの底部に相対スライド可能に連結された本体とからなる構成を有するスライド手段がある。この構成によれば、該カバーと本体が重なり合う閉止状態においては、使用者が表示器に表示された画像や動画を見たり、タッチパネルを用いて指令を入力したりできるのに対し、カバーが本体に対して外側にスライドし、本体の上面に設置されたキーボード等の入力ユニットが露出した開放状態においては、該入力ユニットによって指令を入力することができる。
【０００３】
また、スライド式電子機器の一例としては、例えば特許文献１に記載されたものが知られている。該スライド式電子機器は、そのカバーと本体との間に、両端が夫々カバーと本体に連結されるトーションばねが設けられる構成のものである。
【先行技術文献】
【特許文献】
【０００４】
【特許文献１】台湾特許出願第９５１２８２６０号
【考案の概要】
【考案が解決しようとする課題】
【０００５】
しかしながら、前記従来のスライド式電子機器のように、トーションばねを用いた構成にすると、携帯型電子機器の全体の厚みが増してしまうので、電子機器の軽量化及び小型化の目的を達成することが困難であった。
【０００６】
そこで、考案されたのが本考案であって、携帯型装置の厚みをより薄くすることができるスライド機構を提供することを目的としている。
【課題を解決するための手段】
【０００７】
本考案は、上記の目的を達成するために、携帯型装置におけるカバーと本体のと間に設置される携帯型装置用スライド機構であり、該携帯型装置用スライド機構は、該カバーに固設される第１プレートと、一端が該第１プレートに枢設されると共に、他端に棒状突起を有する固定部が設けられる第１枢設部材と、一端が該第１枢設部材における固定部に枢設されると共に、該一端に固定部における棒状突起を収容するための弧状溝が形成される第２枢設部材と、摺動可能に該第１プレートに設置されると共に、該本体に固設され、且つ該第２枢設部材の他端に枢設される第２プレートと、該第１枢設部材と第２枢設部材との間における、固定部の外周に環装され、一端が該固定部に着設されると共に、他端が該第２枢設部材に着設される、渦巻状を呈する弾性部材とを備えるものである。
【０００８】
また、第１プレートを摺動可能に第２プレートに設置する手段としては、例えば第１プレートの両側に夫々レールを設けると共に、第２プレートの両側に夫々レールと対応するスライド溝を設ける構成により実現できる。
【０００９】
また、前記固定部は、その厚みが前記弾性部材の厚みと略同等である、円盤状を呈するものであることが好ましい。
【００１０】
また、前記弾性部材の一端を固定部に着設する手段としては、例えば固定部に係合溝を形成すると共に、弾性部材の一端を該係合溝に固定する構成により実現できる。
【考案の効果】
【００１１】
本考案は上記の課題を解決するものであり、弾性部材の厚みが固定部の厚みと略同等であり、その弾性部材の一端が固定部における係合溝に固定されると共に、他端が固定部の外周を一周若しくは数周するように巻回される構成であることから、第１枢設部材、第２枢設部材及び弾性部材が組み立てられてなる本考案のスライド機構は、軽量化及び小型化を達成できるので、実用性に優れたものとなる。
【図面の簡単な説明】
【００１２】
【図１】本考案に係るスライド機構を備えた携帯型装置の斜視図である。
【図２】本考案に係るスライド機構を備えた携帯型装置の底面視斜視図である。
【図３】本考案に係る携帯型装置用スライド機構の分解斜視図である。
【図４】本考案に係る携帯型装置用スライド機構の部分拡大分解斜視図である。
【図５】本考案に係る携帯型装置用スライド機構の底面視斜視図である。
【図６】本考案に係る携帯型装置用スライド機構の部分拡大分解斜視図である。
【図７】本考案に係るスライド機構のスライド動作を示す平面図である。
【図８】本考案に係るスライド機構のスライド動作を示す平面図である。
【図９】本考案に係るスライド機構のスライド動作を示す平面図である。
【図１０】従来の弾性部材の斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１乃至図４に示すように、本考案に係る携帯型装置用スライド機構は、カバー９０と本体９１とを有する携帯型装置９に設置され、第１プレート１０と、第１枢設部材２０と、第２枢設部材３０と、第２プレート４０と、弾性部材５０を備えるものである。
【００１５】
前記第１プレート１０はカバー９０に固設され、前記第２プレート４０は本体９１に固設されると共に、摺動可能に第１プレート１０に設置される。尚、前記第１プレート１０を第２プレート４０に対してスムーズに摺動させるために、該第１プレート１０の両側に夫々レール１１が設けられると共に、該第２プレート４０の両側に夫々該レール１１と対応するスライド溝４２が形成される。
【００１６】
前記第１枢設部材２０の一端２０１は第１プレート１０に枢設され、該枢設手段としては、例えば、リベット（図示せず）を第１プレート１０における開孔１２に挿設する方法により行うものであってもよい。また、第１枢設部材２０の他端に固定部２１が設けられ、該固定部２１を第１枢設部材２０に固定するために、該第１枢設部材２０に複数の貫通孔２１２が形成されると共に、該固定部２１の一側に、対応する貫通孔２１２に嵌設される複数のロッド２１１が設けられる。また、図５に示すように、固定部２１としては、円盤状を呈するものが好ましく、該円盤状の固定部２１の周縁上に係合溝が形成されると共に、他側に棒状突起が設けられる。尚、本実施例においては、固定部２１が着脱可能に第１枢設部材２０に設けられるが、第１枢設部材２０と一体に形成されてもよい。
【００１７】
前記第２枢設部材３０は、リベットにより前記第２プレート４０に枢設されると共に、その一端が前記第１枢設部材２０における固定部２１に枢設され、また、該一端には、固定部２１における棒状突起２２を収容するための弧状溝３２が形成される。
【００１８】
図６に示すように、弾性部材５０は、渦巻状を呈すると共に、第１枢設部材２０と第２枢設部材３０との間における、固定部２１の外周に環装され、その一端５１が第１枢設部材２０の固定部２１における係合溝２１４に固設されると共に、他端５２が第２枢設部材３０に着設される。尚、図５に示すように、弾性部材５０の他端５２は、リベットにより第２枢設部材３０の中央部３３に設置される。
【００１９】
図６に示すように、本考案の好適な実施例においては、弾性部材５０の厚みが固定部２１の厚みと略同等であり、その一端が固定部２１における係合溝２１４に固定されると共に、他端が固定部２１の外周を一周若しくは数周するように巻回されることから、第１枢設部材２０と第２枢設部材３０がスムーズに回転できるので、前記従来における、トーションばねの採用によって携帯型電子機器の厚みが増えてしまうといった問題を解決することがきる。
【００２０】
図７乃至図９は、本考案のスライド機構１のスライド操作を示す平面図である。図７に示すように、第２プレート４０が第１プレート１０の一側に位置する時、固定部２１における棒状突起２２は、第２枢設部材３０における弧状溝３２の一側に位置し、該第１プレート１０が第２プレート４０の他側へ摺動すると共に、棒状突起２２は弧状溝３２内において移動するので、該第１プレート１０に対する第２プレート４０の摺動距離は、該弧状溝３２の長さにより制御される。
【００２１】
図８及び図９に示すように、第２プレート４０が第１プレート１０の他側へ押されると、弾性部材５０が圧縮されて付勢力が発生し、更に該第２プレート４０が特定の位置まで移動すると、該第２プレート４０が、弾性部材５０の付勢力により第１プレート１０の他側まで摺動して位置決めされる。
【００２２】
上記の構成によれば、本考案は携帯型装置の厚みを薄くできると共に、よりスムーズなスライド動作を提供できる。
【符号の説明】
【００２３】
１        スライド機構
１０      第１プレート
１１      レール
１２      開孔
２０      第１枢設部材
２１      固定部
２２      棒状突起
２１１    ロッド
２１２    貫通孔
２１４    係合溝
３０      第２枢設部材
３２      弧状穴
３３      中央部
４０      第２プレート
４２      スライド溝
５０      弾性部材
５１      弾性部材の一端
５２      弾性部材の他端
７０      トーションばね
９        携帯型装置
９０      カバー
９１      本体
【図１】
0003161375.tif 000003
【図２】
0003161375.tif 000004
【図３】
0003161375.tif 000005
【図４】
0003161375.tif 000006
【図５】
0003161375.tif 000007
【図６】
0003161375.tif 000008
【図７】
0003161375.tif 000009
【図８】
0003161375.tif 000010
【図９】
0003161375.tif 000011
【図１０】
0003161375.tif 000012